(57)【特許請求の範囲】
【請求項１】
二酸化炭素消火設備防護対象室の出入口近傍に入室・退室状態を管理する入室管理盤を設置し、前記入室管理盤は入室時間設定タイマーを備え、前記入室時間設定タイマーの解除スイッチと前記二酸化炭素設備防護対象室から退室時のドア開信号とをインターロックし得る構成としてなることを特徴とする建屋内の二酸化炭素消火設備。
【請求項２】
二酸化炭素消火設備防護対象室の出入口近傍に入室・退室状態を管理する入室管理盤を設置し、前記入室管理盤に入室・退室切替スイッチを設け、前記入室・退室切替スイッチと前記二酸化炭素消火設備防護対象室のドア解錠とをインターロックし得る構成とし、前記入室・退室切替スイッチとドア解錠をインターロックさせることに伴い、前記室内側のドアにスプリングリターンスイッチを設けてなることを特徴とする建屋内の二酸化炭素消火設備。
【発明の詳細な説明】
【０００１】
【発明の属する技術分野】
本発明は例えば原子力施設等の建屋内の二酸化炭素消火設備に関する。
【０００２】
【従来の技術】
図４および図５により従来の建屋内の二酸化炭素消火設備を説明する。すなわち、図４において建屋１内の二酸化炭素消火設備防護対象室２には両開き出入口ドア３または片開き出入口ドア４の何れか一方（図４では片開き出入口ドア４で示す）に起動装置５を設置している。
起動装置５は図４のＣ部を拡大して図５に示したように二酸化炭素放出スイッチ６および二酸化炭素放出非常停止スイッチ７が設けられたものである。
【０００３】
二酸化炭素消火設備は前記設備防護対象室２の火災を確認後、前記設備防護対象室２のドア４近傍に設置される起動装置５を操作することにより二酸化炭素を放出する手動放出方式と、前記設備防護対象室２に設置される火災感知器の作動により二酸化炭素を放出する自動放出方式が知られている。
【０００４】
【発明が解決しようとする課題】
二酸化炭素消火設備は前記防護対象室２内において、作業員等の人の出入りがあるにもかかかわらず起動装置の誤操作または火災感知器の誤作動等により二酸化炭素が放出される課題がある。
【０００５】
本発明は上記課題を解決するためになされたもので、防護対象室内の入室・退室状態を管理することにより、二酸化炭素の誤放出を防止することができる建屋内の二酸化炭素消火設備を提供することにある。
【０００６】
【課題を解決するための手段】
以上の目的を達成するために、請求項１に係る本発明は、二酸化炭素消火設備防護対象室の出入口近傍に入室管理盤を設置し、前記入室管理盤は入室時間設定タイマーを備え、前記入室時間設定タイマーの解除スイッチと前記二酸化炭素設備防護対象室から退室時のドア開信号とをインターロックし得る構成としてなることを特徴とする。これにより、入室・退室時に「退室  入室中」切替スイッチを操作して「退室」表示灯または「入室中（ＣＯ2 放出遮断）」表示灯を点灯させ入室・退室状態を管理する。
【０００９】
また、二酸化炭素消火設備防護対象室へ入室する際の「退室  入室中」切替スイッチの操作をするとともに入室時間をあらかじめ入室時間設定スイッチにより設定し、設定時間経過後には自動的に退室状態に切り替えることができる。
【００１１】
さらに、二酸化炭素消火設備防護対象室から入室設定時間が経過する前に退室した際には室内側からドアを開けることにより信号が送られ、入室時間設定スイッチが解除されるようにインターロックさせ自動的に退室状態に切り替わることができる。
【００１２】
請求項２に係る本発明は、二酸化炭素消火設備防護対象室の出入口近傍に入室・退室状態を管理する入室管理盤を設置し、前記入室管理盤に入室・退室切替スイッチを設け、前記入室・退室切替スイッチと前記二酸化炭素消火設備防護対象室のドア解錠とをインターロックし得る構成とし、前記入室・退室切替スイッチとドア解錠をインターロックさせることに伴い、前記室内側のドアにスプリングリターンスイッチを設けてなることを特徴とする。
【００１３】
これにより、入室・退室状態を切り替える「退室  入室中」切替スイッチの「退室」および「入室中」の信号と二酸化炭素消火設備防護対象室の出入口のドア解錠とをインターロックさせ、入室時の二酸化炭素誤放出を防止することができる。
【００１４】
また、入室中にも関わらず「退室  入室中」切替スイッチを退室状態に切り替えた場合の二酸化炭素の誤放出を防止できる。
【００１７】
【発明の実施の形態】
本発明に係る建屋内の二酸化炭素消火設備の実施の形態を図１から図３により説明する。
図１は本発明の建屋内の二酸化炭素消火設備における建屋内の平面図で、図２は図１におけるＡ部を拡大した入室管理盤の外形図で、図３は図１におけるＢ部を拡大した起動装置の外形図である。
【００１８】
すなわち、図１において建屋１内の二酸化炭素消火設備防護対象室２の両開き出入口ドア３の外側近傍に入室管理盤８を設置し、片開き出入口ドア４の外側近傍に入室管理盤兼用型起動装置９を設置する。入室管理盤８は入室，退室状態を管理するためのものである。
また、入室管理盤兼用型起動装置９は、従来から設置している起動装置５に入室管理盤の機能を設けたもので、入室・退室状態を管理させる。
【００１９】
図２において、入室管理盤８には入室・退室時に操作する「退室  入室中」切替キースイッチ14および状態が明確に分かるように「退室」表示灯10および「入室中（ＣＯ2 放出遮断）」表示灯11を設け、この信号が入室状態の場合は二酸化炭素放出が不可能になるように二酸化炭素放出起動回路とインターロックを組むことで入室時の二酸化炭素誤放出を防止できる。
【００２０】
入室する際に「退室  入室中」切替キースイッチ14を操作するとともに入室時間をあらかじめ入室時間設定スイッチ13により設定し、設定時間経過の際には音声警報等により警告が行われ設定時間経過後には自動的に退出状態へと切り替えできるようにすることにより退出時の「退室  入室中」切替キースイッチ14の操作忘れを防止できる。
【００２１】
入室時間を入室時間設定スイッチ13により設定後、入室をしたが、設定時間が経過するより前に退室した際には防護対象室側からのドア開により信号が送られ、入室時間設定スイッチ13が解除となり自動的に退室状態へと切り替わるようにすることで、設定時間経過前での退室におけるタイマーリセット忘れによる二酸化炭素（ＣＯ2 ）の放出不可時間の発生を防止することができる。
【００２２】
「退室  入室中」切替キースイッチ14をキースイッチとし容易に操作が行えない構造とすることで入室・退室時以外での状態切替を防止できる。
「退室  入室中」切替キースイッチ14および状態を示す「退室」表示灯10および「入室中（ＣＯ2 放出遮断）」表示灯11の信号と二酸化炭素消火設備防護対象室２出入口ドア３の解錠とをインターロックで組むことにより「退室  入室中」切替キースイッチ14を入室状態に切り替えた場合にのみドア３が解錠するようにしたことで、入室時の二酸化炭素誤放出を防止できる。
【００２３】
なお、ドアの防護対象室側には「退室  入室中」切替キースイッチ14とインターロックされたスプリングリターンスイッチを設け、防護対象室内からはドアの解錠が自由に行えるようにしたことで、入室中にも関わらず「退室  入室中」切替キースイッチ14を退室状態に切り替えられた場合の二酸化炭素誤放出を防止できる。
【００２４】
図３における入室管理盤兼用型起動装置９は二酸化炭素放出スイッチ６および二酸化炭素放出非常停止スイッチ７のほかに、入室管理盤８に設けた「退室」表示灯10，「入室中（ＣＯ2 放出遮断）」表示灯11，入室時間設定タイマー表示12，入室時間設定スイッチ13および「退室  入室中」切替キースイッチ14を設けている。
【００２５】
これにより、図２で説明した場合と同様の作用効果を得ることができる。なお、入室管理盤８と入室管理盤兼用起動装置９の配置関係はドア３，４の出入口近傍であるならば何れに設けることもでき、限定されるものではない。
【００２６】
【発明の効果】
本発明によれば、二酸化炭素消火設備防護対象室の出入口近傍に入室管理盤を設置し、入室・退室状態の管理および入室・退室状態と二酸化炭素放出起動回路をインターロックすることにより入室時の二酸化炭素誤放出を防止できる。よって、従来の二酸化炭素消火設備における入室時の二酸化炭素誤放出が防止でき、二酸化炭素消火設備の安全性が向上する。
【図面の簡単な説明】
【図１】本発明に係る建屋内の二酸化炭素消火設備の実施の形態を説明するための建屋内平面図。
【図２】図１におけるＡ部を拡大して示す入室管理盤の外形図。
【図３】図１におけるＢ部を拡大して示す起動装置（入室管理盤兼用型）の外形図。
【図４】従来の建屋の二酸化炭素消火設備を説明するための建屋内平面図。
【図５】図４におけるＣ部を拡大して示す起動装置の外形図。
【符号の説明】
１…建屋、２…二酸化炭素消火設備防護対象室、３…両開き出入口ドア、４…片開き出入口ドア、５…起動装置、６…二酸化炭素放出スイッチ、７…二酸化炭素放出非常停止スイッチ、８…入室管理盤、９…入室管理盤兼用型起動装置、10…「退室」表示灯、11…「入室中（ＣＯ2 放出遮断）」表示灯、12…入室時間設定タイマー表示、13…入室時間設定スイッチ、14…「退室  入室中」切替キースイッチ。
【図１】
0003643422.tif 000002
【図２】
0003643422.tif 000003
【図３】
0003643422.tif 000004
【図４】
0003643422.tif 000005
【図５】
0003643422.tif 000006